(57)【要約】【課題】大画面のタッチパネル機能付きの表示装置においても、利用者との距離に応じてタッチパネルの有効領域を変化させて、効率よく省電力化が図れる表示装置を提供する。【解決手段】タッチパネル制御部(１b)は、対人距離測定部(Ｓ１)より測定された人との距離に応じて、タッチパネル(３)の全てを有効領域に設定するか、または、人と対向する表示部(２)の辺側から対辺側に向かってタッチパネル(３)の一部を無効領域として設定するか、または、タッチパネル(３)の全てを有効領域に設定するように、タッチパネル(３)を制御する。【選択図】図１
2014174662.tif 000002
【特許請求の範囲】
【請求項１】
画面に画像を表示する矩形状の表示部と、
上記表示部の画面上に配置されたタッチパネルと、
上記表示部の少なくとも一辺の外側方向に存在する人を検出し、その人との距離を測定する対人距離測定部と、
上記対人距離測定部により測定された上記人との距離に基づいて、上記タッチパネルを制御するタッチパネル制御部と
を備え、
上記タッチパネル制御部は、
上記対人距離測定部により測定された上記人との距離に応じて、上記タッチパネルの全てを有効領域に設定するか、または、上記人と対向する上記表示部の辺側から対辺側に向かって上記タッチパネルの一部を有効領域として設定するか、または、上記タッチパネルの全てを無効領域に設定するように、上記タッチパネルを制御することを特徴とする表示装置。
【請求項２】
請求項１に記載の表示装置において、
上記タッチパネル制御部は、
上記対人距離測定部により検出された上記表示部の各辺の外側方向に存在する複数の人が上記表示部の複数の辺の外側方向に存在するとき、かつ、上記対人距離測定部により検出された上記人と対向する上記表示部の辺毎にその辺側から対辺側に向かって上記タッチパネルの一部を有効領域として設定するとき、上記表示部の辺毎の上記タッチパネルの有効領域を重複可能にしていることを特徴とする表示装置。
【請求項３】
請求項１または２に記載の表示装置において、
上記対人距離測定部により測定された上記表示部の少なくとも一辺の外側方向に存在する人との距離を判定する距離判定部を備え、
上記タッチパネル制御部は、
上記対人距離測定部により測定された上記表示部の各辺の外側方向に存在する人との距離が予め設定された第１判定距離以下であると上記距離判定部が判定したとき、上記タッチパネルの全てを有効領域に設定すると共に、
上記対人距離測定部により測定された上記表示部の各辺の外側方向に存在する人との距離が、上記第１判定距離より長くかつ予め設定された第２判定距離以下であると上記距離判定部が判定したとき、その人と対向する上記表示部の辺から対辺側に向かって上記タッチパネルの一部を有効領域として設定することを特徴とする表示装置。
【請求項４】
請求項３に記載の表示装置において、
上記タッチパネル制御部は、
上記対人距離測定部により測定された上記表示部の各辺の外側方向に存在する人との距離が、上記第２判定距離よりも長いと上記距離判定部が判定したとき、上記タッチパネルの全てを無効領域に設定することを特徴とする表示装置。
【請求項５】
請求項４に記載の表示装置において、
上記対人距離測定部により測定された上記表示部の各辺の外側方向に位置する人との距離が、予め上記第２判定距離より長く設定された第３判定距離よりも長いと上記距離判定部が判定したとき、上記表示部を待機状態にする表示制御部を備えたことを特徴とする表示装置。
【発明の詳細な説明】
【技術分野】
【０００１】
この発明は、表示装置に関し、詳しくはタッチパネル機能付きの表示装置に関する。
【背景技術】
【０００２】
従来の第１の表示装置としては、人体が筐体に接触していることを感知する接触センサ手段と、人が表示手段に向いていることを感知する顔向センサ手段と、電源供給を制御する制御手段を備えたものがある(例えば、特開２００４−４６３８６号公報(特許文献１)参照)。上記従来の第１の表示装置では、本体への電源を最小限とすることを指示する節電モードが設定されかつ接触センサ手段で筐体への接触が感知されない場合や、顔向センサ手段で人が表示手段に向いていないと感知した場合に、現在使用されていない不要部分への電源供給を制御手段により切断または低減する。これにより、上記従来の第１の表示装置は、テレビ画面正面に付けた人感センサを用いて人が正面にいるか否かで画面のオンオフを行う。
【０００３】
また、従来の第２の表示装置としては、起動状態(オン)および非起動状態(オフ)の２つの状態の間で切り替え可能なディスプレイであって、ユーザが近傍に存在することを検出可能な静電容量センサと、その静電容量センサの出力に応じてディスプレイの起動を行う手段とが組み込まれたものがある(例えば、特開２００７−５２６５０９号公報(特許文献２)参照)。
【先行技術文献】
【特許文献】
【０００４】
【特許文献１】特開２００４−４６３８６号公報
【特許文献２】特開２００７−５２６５０９号公報
【発明の概要】
【発明が解決しようとする課題】
【０００５】
上記従来の第１の表示装置は、人が使用中に表示手段を部分的にオンオフするものではなく、また、上記従来の第２の表示装置は、静電容量で、ディスプレイを手に持ったときの静電容量でディスプレイを起動状態(オン)にし、ディスプレイの起動状態(オン)および非起動状態(オフ)のみで、画面を部分的にオンオフすることができない。
【０００６】
このように、上記従来の第１,第２の表示装置は、人感センサを用いて、端末やディスプレイのオンオフを制御することで省電力を図ったり、接触センサや静電容量センサを用いて、人が装置を手に持つ際に電源をオンすることで省電力を図ったりするものである。
【０００７】
しかしながら、テーブルなどの上に水平に設置するような大画面の表示装置の場合、「手に持つ」という使用状況は想定されないため、上記従来の第１,第２の表示装置のような技術を用いることができない。
【０００８】
また、上記従来の第１,第２の表示装置では、大画面のタッチパネル機能付き表示装置の場合、タッチパネル全体のオンオフ制御では効率よく省電力が図れるとは言い難く、タッチパネルの大きさによっては、使用者の手の届かない範囲までタッチパネルが有効になっていることになるので、無駄な消費電流が生じるという問題がある。
【０００９】
そこで、この発明の課題は、大画面のタッチパネル機能付きの表示装置においても、利用者との距離に応じてタッチパネルの有効領域を変化させて、効率よく省電力化が図れる表示装置を提供することにある。
【課題を解決するための手段】
【００１０】
上記課題を解決するため、この発明の表示装置は、
画面に画像を表示する矩形状の表示部と、
上記表示部の画面上に配置されたタッチパネルと、
上記表示部の少なくとも一辺の外側方向に存在する人を検出し、その人との距離を測定する対人距離測定部と、
上記対人距離測定部により測定された上記人との距離に基づいて、上記タッチパネルを制御するタッチパネル制御部と
を備え、
上記タッチパネル制御部は、
上記対人距離測定部により測定された上記人との距離に応じて、上記タッチパネルの全てを有効領域に設定するか、または、上記人と対向する上記表示部の辺側から対辺側に向かって上記タッチパネルの一部を有効領域として設定するか、または、上記タッチパネルの全てを無効領域に設定するように、上記タッチパネルを制御することを特徴とする。
【発明の効果】
【００１１】
以上より明らかなように、この発明によれば、タッチパネル制御部によりタッチパネルを制御して、対人距離測定部により測定された人との距離に応じて、タッチパネルの全てを無効領域に設定するか、または、人と対向する表示部の辺側から対辺側に向かってタッチパネルの一部を有効領域として設定するか、または、タッチパネルの全てを有効領域に設定することより、大画面のタッチパネル機能付きの表示装置においても、利用者との距離に応じてタッチパネルの有効領域を変化させて、効率よく省電力化が図れる表示装置を実現することができる。
【図面の簡単な説明】
【００１２】
【図１】図１はこの発明の第１実施形態の表示装置の構成を示すブロック図である。
【図２】図２は上記表示装置の要部の模式図である。
【図３】図３は上記表示装置のタッチパネルの全領域を有効化するときの模式図である。
【図４】図４は上記表示装置のタッチパネルの一部領域を有効化するときの模式図である。
【図５】図５は上記表示装置のタッチパネルの全領域を無効化するときの模式図である。
【図６】図６は上記表示装置のタッチパネルを待機状態にするときの模式図である。
【図７】図７は上記表示装置の制御装置の処理動作を説明するためのフローチャートである。
【図８】図８はこの発明の第２実施形態の表示装置の模式図である。
【図９】図９は上記表示装置のタッチパネルの全領域を有効化するときの模式図である。
【図１０】図１０は上記表示装置のタッチパネルの一部領域を無効化するときの模式図である。
【図１１】図１１は上記表示装置のタッチパネルの全領域を無効化するときの模式図である。
【図１２】図１２は上記表示装置のタッチパネルを待機状態にするときの模式図である。
【図１３】図１３は上記表示装置の制御装置の処理動作を説明するためのフローチャートである。
【発明を実施するための形態】
【００１３】
以下、この発明の表示装置を図示の実施の形態により詳細に説明する。
【００１４】
〔第１実施形態〕
図１はこの発明の第１実施形態の表示装置の構成を示すブロック図である。
【００１５】
この第１実施形態の表示装置１０は、図１に示すように、制御装置１と、制御装置１からの表示制御信号が入力され、画面に画像を表示する矩形状の表示部２と、表示部２の画面上に配置され、制御装置１に操作信号を出力するタッチパネル３と、制御装置１により読み書きされるフラッシュメモリ４と、ＲＡＭ(Random Access Memory：ランダム・アクセス・メモリー)５と、人の存在を検出してその人との距離を測定する対人距離測定部の一例としての人感センサＳ１とを備えている。なお、上記表示部２とタッチパネル３が一体型の表示パネルを用いてもよい。
【００１６】
上記人感センサＳ１は、赤外線を使用して周囲温度の温度変化を感知して人の存在を検知して、人との距離を測定するものでもよいし、超音波の送受信機を備えた超音波方式や、可視光を送出してその反射光を検知する方式など、公知の方式のものを適用することもできる。また、上記人感センサとして、デジタルカメラで普及している顔認識処理を適用し、撮像手段により撮像された撮像画像に顔認識処理を行うことによって人の存在を検出し、その人との距離を他の距離測定手段により測定するものでもよい。
【００１７】
また、上記制御装置１は、マイクロコンピュータと入出力回路などからなり、人感センサＳ１からの検出信号に基づいて、人との距離を判定する距離判定部１aと、対人距離測定部１aにより測定された人との距離に基づいて、タッチパネル３を制御するタッチパネル制御部１bと、表示部２を制御する表示制御部１cを有する。
【００１８】
図２は上記表示装置１０の要部の模式図を示している。図２に示すように、表示装置１０は、タッチパネル３が画面上に配置された矩形状の表示部２の周囲を囲むように取り付けられた枠部１１と、その枠部１１の一辺Ｈ１の中間に配置された人感センサＳ１を備えている。ここで、人感センサＳ１は、表示部２の一辺Ｈ１の外側方向に存在する人を扇状の検出範囲Ａで検出して、その人との距離を測定する。また、この検出範囲Ａ内において、人感センサＳ１から順に、第１判定距離Ｘ, 第２判定距離Ｙ, 第３判定距離Ｚが設定されている。
【００１９】
ここで、第１判定距離Ｘ, 第２判定距離Ｙ, 第３判定距離Ｚは、人感センサＳ１と人との距離をＬとすると、
Ｌ≦Ｘ      ：  表示部２の画面全体に手が届く位置
Ｘ＜Ｌ≦Ｙ  ：  表示部２の画面の一部に手が届く位置
Ｙ＜Ｌ≦Ｚ  ：  表示部２の画面に手が届かない位置(人感センサＳ１の検出範囲内)
Ｚ＜Ｌ      ：  表示部２の画面に手が届かない位置(人感センサＳ１の検出範囲外)
となるように設定されている。
【００２０】
次に、図３〜図６で利用者との距離に応じてタッチパネル３の有効領域を変化させる例について説明する。
【００２１】
図３は上記表示装置１０のタッチパネル３の全領域を有効化するときの模式図を示している。図３において、タッチパネル３の有効領域は、菱形(斜線部分)を市松模様に配列して表し、無効領域は斜線のない菱形を配列して表している(図４,図５同様)。
【００２２】
図３では、表示部２の画面全体に手が届く位置、すなわち、人感センサＳ１と人との距離Ｌが、
Ｌ  ≦  Ｘ
であるとき、タッチパネル制御部１bは、タッチパネル３の全てを有効領域とする。
【００２３】
また、図４は上記表示装置１０のタッチパネル３の一部領域を有効化するときの模式図を示している。
【００２４】
図４では、表示部２の画面の一部に手が届く位置、すなわち、人感センサＳ１と人との距離Ｌが、
Ｘ  ＜  Ｌ  ≦  Ｙ
であるとき、タッチパネル制御部１bは、タッチパネル３の一部を有効領域とする。
【００２５】
ここで、タッチパネル制御部１bは、人と対向する表示部２の一辺(Ｈ１)側から対辺(Ｈ３)側に向かってタッチパネル３の有効領域の幅Ｗを、人感センサＳ１により測定された人との距離Ｌに反比例するように設定している。したがって、人感センサＳ１と人との距離Ｌが、Ｘ＜Ｌ≦Ｙの条件を満たすときは、人との距離Ｌが表示装置１０に近いほどタッチパネル３の有効領域の幅Ｗが長くなる一方、人との距離Ｌが表示装置１０に遠いほどタッチパネル３の有効領域の幅Ｗが短くなる。
【００２６】
また、図５は上記表示装置１０のタッチパネル３を無効化するときの模式図を示している。
【００２７】
図５では、表示部２の画面に手が届かない位置(人感センサＳ１の検出範囲内)、すなわち、人感センサＳ１と人との距離Ｌが、
Ｙ  ＜  Ｌ  ≦  Ｚ
であるとき、タッチパネル制御部１bは、タッチパネル３の全てを無効領域とする。
【００２８】
次に、図６は上記表示装置１０のタッチパネル３を待機状態にするときの模式図を示している。
【００２９】
図６では、表示部２の画面に手が届かない位置(人感センサＳ１の検出範囲外)、すなわち、人感センサＳ１と人との距離Ｌが、
Ｚ  ＜  Ｌ
であるとき、タッチパネル制御部１bは、タッチパネル３の全てを無効領域とすると共に、表示制御部１cは、表示部２を待機状態にする。ここで、表示部２の待機状態は、例えば液晶ディスプレイとバックライトの構成では両方の電源供給をオフにする。
【００３０】
次に、図７のフローチャートに従って表示装置１０の制御装置１の処理動作を説明する。
【００３１】
まず、処理がスタートすると、ステップＳ１で人感センサＳ１により人の存在を検出してその人との距離Ｌを測定する。
次に、ステップＳ２に進み、距離判定部１aによりＬ≦Ｘか否かを判定して、Ｌ≦Ｘであると判定すると、ステップＳ７に進み、タッチパネル制御部１bによりタッチパネル３の全領域を有効化した後、ステップＳ１に戻る。
一方、ステップＳ２に進み、Ｌ≦Ｘでないと判定すると、ステップＳ３に進み、距離判定部１aによりＸ＜Ｌ≦Ｙか否かを判定する。
そして、ステップＳ３でＸ＜Ｌ≦Ｙであると判定すると、ステップＳ８に進み、人との距離Ｌに応じてタッチパネル３の一部領域を有効化する。
一方、ステップＳ３でＸ＜Ｌ≦Ｙでないと判定すると、ステップＳ４に進み、距離判定部１aによりＹ＜Ｌ≦Ｚか否かを判定する。
次に、ステップＳ４でＹ＜Ｌ≦Ｚであると判定すると、ステップＳ９に進み、タッチパネル制御部１bによりタッチパネル３の全領域を無効化した後、ステップＳ１に戻る。
一方、ステップＳ４でＹ＜Ｌ≦Ｚでないと判定すると、ステップＳ５に進み、タッチパネル制御部１bによりタッチパネル３の全てを無効領域にすると共に、表示制御部１cにより表示部２を待機状態にした後、ステップＳ１に戻る。
【００３２】
上記構成の表示装置１０によれば、タッチパネル制御部１bによって、対人距離測定部である人感センサＳ１により測定された表示部２の一辺の外側方向に存在する人との距離Ｌ１に応じて、その人と対向する表示部２の辺側から対辺側に向かってタッチパネル３の有効領域を設定するので、例えば、人の手がタッチパネル３全体に届くときは、タッチパネル３全体を有効とし、人の手がタッチパネル３の一部領域に届くときは、手が届くタッチパネル３の一部領域すなわち人から見て手前の領域を有効とし、さらに、人の手がタッチパネル３に届かないときは、タッチパネル３全体を無効とする。このように、利用者との距離Ｌ１に応じて、タッチパネル３の有効領域を変化させることによって、大画面のタッチパネル機能付きの表示装置においても、効率よく省電力化できる。特に、この発明は、対人距離測定部となる人感センサを４辺に有するタッチパネル機能付きの大画面表示装置を水平設置した場合に有効である。
【００３３】
また、上記タッチパネル制御部１bによって、人感センサＳ１により測定された表示部２の各辺の外側方向に存在する人との距離Ｌ１が予め設定された第１判定距離Ｘ以下であると距離判定部１aが判定したとき、タッチパネル３の全領域を有効にする。また、人感センサＳ１により測定された表示部２の各辺の外側方向に存在する人との距離Ｌ１が、第１判定距離Ｘより長くかつ第２判定距離Ｙ以下であると距離判定部１aが判定したとき、その人と対向する表示部２の辺から対辺側に向かってタッチパネル３の一部領域を有効にする。これにより、より最適なタッチパネル３の省電力化ができる。また、タッチパネル３の有効領域の幅Ｗ(人と対向する表示部２の辺から対辺側への方向の幅)を人との距離Ｌ１に反比例するように設定することで、手が近いほどタッチパネル３の有効領域の幅Ｗが広がり、手が遠いほどタッチパネル３の有効領域の幅Ｗが狭くなるので、最適なタッチパネル３の省電力化ができる。
【００３４】
また、上記タッチパネル制御部１bによって、人感センサＳ１により測定された表示部２の各辺の外側方向に存在する人との距離Ｌ１が第２判定距離Ｙよりも長いと距離判定部１aが判定したとき、タッチパネル３の全領域を無効にするので、手がタッチパネル３に届かないときは確実に省電力化できる。
【００３５】
また、上記人感センサＳ１により測定された表示部２の各辺の外側方向に位置する人との距離Ｌ１が第３判定距離Ｚ(＞第２判定距離Ｙ)よりも長いと距離判定部１aが判定したとき、表示制御部１cにより表示部２を待機状態にすることによって、人が表示部２の画面を視認できないほど離れている場合は、表示部２の消費電力も低減することができる。
【００３６】
〔第２実施形態〕
図８はこの発明の第２実施形態の表示装置２０の模式図を示している。この第２実施形態の表示装置２０は、人感センサＳ１,Ｓ２と制御装置１の動作を除いて第１実施形態の表示装置１０と同一の構成をしており、同一構成部には同一参照番号を付して、図１を援用する。
【００３７】
この第２実施形態の表示装置２０は、図８に示すように、タッチパネル３が画面上に配置された矩形状の表示部２の周囲を囲むように取り付けられた枠部１１と、その枠部１１の短辺Ｈ１,Ｈ３の一方(Ｈ１)と長辺Ｈ２,Ｈ４の一方(Ｈ２)の夫々の中間に配置された人感センサＳ１,Ｓ２を備えている。
【００３８】
図８では、辺Ｈ１の人感センサＳ１により測定される人との距離をＬ１とし、辺Ｈ２の人感センサＳ２により測定される人との距離をＬ２とする。
【００３９】
次に、図９〜図１２で利用者との距離に応じてタッチパネル３の有効領域を変化させる例について説明する。
【００４０】
図９は上記表示装置２０のタッチパネル３の全領域を有効化するときの模式図を示している。
【００４１】
図９において、人感センサＳ１が配置された表示部２の辺Ｈ１側の扇状の検出範囲Ａ１の第１判定距離Ｘ１とし、人感センサＳ２が配置された表示部２の辺Ｈ２側の扇状の検出範囲Ａ２の第１判定距離Ｘ２とする。
【００４２】
そして、表示部２の画面全体に手が届く位置、すなわち、人感センサＳ１により測定される人との距離をＬ１とし、辺Ｈ２の人感センサＳ２により測定される人との距離をＬ２とすると、
Ｌ１  ≦  Ｘ１
Ｌ２  ≦  Ｘ２
の少なくとも１つが満たされたとき、タッチパネル制御部１bは、タッチパネル３の全てを有効領域とする。
【００４３】
ここで、上記表示装置２０は、人感センサを２つの辺に配置したが、辺Ｈｍ(ｍは１,２,３,４)に人感センサＳｍを配置する一般化した条件を考えた場合、各人感センサＳｍにより測定された人との距離はＬｍで表され、夫々の人感センサＳｍの扇状の検出範囲Ａｍに対応して、第１判定距離Ｘｍ, 第２判定距離Ｙｍ, 第３判定距離Ｚｍが設定されるものとする。
【００４４】
これにより、
Ｌｍ  ≦  Ｘｍ
を満たすＬｍが１つ以上あるとき、タッチパネル制御部１bは、タッチパネル３の全てを有効領域とする。
【００４５】
次に、図１０は上記表示装置２０のタッチパネル３の一部領域を無効化するときの模式図を示している。
【００４６】
図１０において、人感センサＳ１が配置された表示部２の辺Ｈ１側の扇状の検出範囲Ａ１の第１判定距離Ｘ１,第２判定距離Ｙ１とし、人感センサＳ２が配置された表示部２の辺Ｈ２側の扇状の検出範囲Ａ２の第１判定距離Ｘ２,第２判定距離Ｙ２とする。
【００４７】
そして、表示部２の一部に手が届く位置に少なくとも１人存在するとき、すなわち、人感センサＳ１により測定される人との距離をＬ１とし、辺Ｈ２の人感センサＳ２により測定される人との距離をＬ２とすると、
Ｘ１  ＜  Ｌ１  ≦  Ｙ１
Ｘ２  ＜  Ｌ２  ≦  Ｙ２
の条件の少なくとも１つが満たされたとき、タッチパネル制御部１bは、タッチパネル３の一部を有効領域とする。ただし、Ｘ１＜Ｌ１およびＸ２＜Ｌ２を前提とする。
【００４８】
図１０では、上記条件の両方が満たされ、タッチパネル制御部１bは、人と対向する表示部２の辺Ｈ１側から対辺Ｈ３側に向かってタッチパネル３の有効領域の幅Ｗ１を、人感センサＳ１により測定された人との距離Ｌ１に反比例するように設定すると共に、人と対向する表示部２の辺Ｈ２側から対辺Ｈ４側に向かってタッチパネル３の有効領域の幅Ｗ２を、人感センサＳ１により測定された人との距離Ｌ２に反比例するように設定している。
【００４９】
このとき、人と対向する表示部２の辺Ｈ１側から対辺Ｈ３側に向かって設定されたタッチパネル３の有効領域(幅Ｗ１)と、人と対向する表示部２の辺Ｈ２側から対辺Ｈ４側に向かって設定されたタッチパネル３の有効領域(幅Ｗ２)は、辺Ｈ１と辺Ｈ２が隣接するコーナー部分で重複する。
【００５０】
ここで、上記表示装置２０は、人感センサを２つの辺に配置したが、ｍ辺(ｍは２以上かつ４以下の整数)に人感センサＳｍを配置した一般化した場合を考えると、各人感センサにより測定された人との距離はＬｍで表され、夫々の人感センサの扇状の検出範囲に対応して、第１判定距離Ｘｍ, 第２判定距離Ｙｍ, 第３判定距離Ｚｍが設定されるものとする。
【００５１】
これにより、
Ｘｍ  ＜  Ｌｍ  ≦  Ｙｍ
を満たすＬｍが１つ以上あるとき、タッチパネル制御部１bは、タッチパネル３の一部を有効領域とする。ただし、上記条件を満たさない他のＬｍはＸｍよりも長い。
【００５２】
次に、図１１は上記表示装置２０のタッチパネル３を無効化するときの模式図を示している。
【００５３】
図１１において、人感センサＳ１が配置された表示部２の辺Ｈ１側の扇状の検出範囲Ａ１の第１判定距離Ｘ１,第２判定距離Ｙ１,第３判定距離Ｚ１とし、人感センサＳ２が配置された表示部２の辺Ｈ２側の扇状の検出範囲Ａ２の第１判定距離Ｘ２,第２判定距離Ｙ２,第３判定距離Ｚ２とする。
【００５４】
そして、表示部２の画面に手が届かない位置(人感センサＳ１の検出範囲内)に少なくとも１人存在するとき、すなわち、人感センサＳ１により測定される人との距離をＬ１とし、辺Ｈ２の人感センサＳ２により測定される人との距離をＬ２とすると、
Ｙ１  ＜  Ｌ１  ≦  Ｚ１
Ｙ２  ＜  Ｌ２  ≦  Ｚ２
の条件の少なくとも１つが満たされたとき、タッチパネル制御部１bは、タッチパネル３の全てを無効領域とする。ただし、Ｙ１＜Ｌ１およびＹ２＜Ｌ２を前提とする。
【００５５】
図１１では、辺Ｈ１側に存在する人が第３判定距離Ｚ１よりも遠い位置におり、辺Ｈ２側に存在する人が辺Ｈ２側のＹ２＜Ｌ２≦Ｚ２の条件が満たす位置に存在している。
【００５６】
ここで、上記表示装置２０は、人感センサを２つの辺に配置したが、ｍ辺(ｍは２以上かつ４以下の整数)に人感センサを配置した一般化した場合を考えると、各人感センサにより測定された人との距離はＬｍで表される。そして、夫々の人感センサの扇状の検出範囲に対応して、第１判定距離Ｘｍ, 第２判定距離Ｙｍ, 第３判定距離Ｚｍが設定されるものとする。
【００５７】
これにより、
Ｙｍ  ＜  Ｌｍ  ≦  Ｚｍ
を満たすＬｍが１つ以上あるとき、タッチパネル制御部１bは、タッチパネル３の全てを無効領域とする。ただし、上記条件を満たさない他のＬｍはＹｍよりも長い。
【００５８】
図１２は上記表示装置２０のタッチパネル３を待機状態にするときの模式図を示している。
【００５９】
図１２において、表示部２の画面に手が届かない位置(人感センサＳ１の検出範囲外)に人が存在するとき、すなわち、人感センサＳ１により測定される人との距離をＬ１とし、辺Ｈ２の人感センサＳ２により測定される人との距離をＬ２とすると、
Ｚ１  ＜  Ｌ１
Ｚ２  ＜  Ｌ２
の条件の両方が満たされたとき、タッチパネル制御部１bは、タッチパネル３の全てをとすると共に、表示制御部１cは、表示部２を待機状態にする。ここで、表示部２の待機状態は、例えば液晶ディスプレイとバックライトの構成では両方の電源供給をオフにする。
【００６０】
次に、図１３のフローチャートに従って表示装置２０の制御装置１の処理動作を説明する。
【００６１】
まず、処理がスタートすると、ステップＳ１１で人感センサＳｍにより人の存在を検出してその人との距離Ｌｍを測定する。ここで、Ｓｍは、辺Ｈｍにある(ｍは１,２,３,４)。
次に、ステップＳ１２に進み、距離判定部１aによりＬｍ≦Ｘｍを満たすｍが１つ以上あるか否かを判定して、Ｌｍ≦Ｘｍを満たすｍが１つ以上あると判定すると、ステップＳ１７に進み、タッチパネル制御部１bによりタッチパネル３の全領域を有効化した後、ステップＳ１１に戻る。
一方、ステップＳ１２に進み、Ｌｍ≦Ｘｍを満たすｍがないと判定すると、ステップＳ１３に進み、距離判定部１aによりＸｍ＜Ｌｍ≦Ｙｍを満たすｍが１つ以上あるか否かを判定する。
そして、ステップＳ１３でＸｍ＜Ｌｍ≦Ｙｍを満たすｍが１つ以上あると判定すると、ステップＳ１８に進み、人との距離Ｌｍに応じてタッチパネル３の一部領域を有効化する。
ここで、Ｘｍ＜Ｌｍ≦Ｙｍを満たすｍが２つ以上ある場合、表示部２の辺毎のタッチパネル３の有効領域を重複可能にしている。
一方、ステップＳ１３でＸｍ＜Ｌｍ≦Ｙｍを満たすｍがないと判定すると、ステップＳ１４に進み、距離判定部１aによりＹｍ＜Ｌｍ≦Ｚｍを満たすｍが１つ以上あるか否かを判定する。
次に、ステップＳ１４でＹｍ＜Ｌｍ≦Ｚｍを満たすｍが１つ以上あると判定すると、ステップＳ１９に進み、タッチパネル制御部１bによりタッチパネル３の全領域を無効化した後、ステップＳ１１に戻る。
一方、ステップＳ１４でＹｍ＜Ｌｍ≦Ｚｍを満たすｍがないと判定すると、ステップＳ１５に進み、タッチパネル制御部１bによりタッチパネル３の全領域を無効化すると共に、表示制御部１cにより表示部２を待機状態にした後、ステップＳ１１に戻る。
【００６２】
また、上記第２実施形態の表示装置２０は、第１実施形態の表示装置１０と同様の効果を有する。
【００６３】
また、上記表示装置２０周辺に複数の利用者がいる場合は、それぞれの人の位置関係に応じてタッチパネル３の有効領域を重複可能に変化させることによって、より効率よくタッチパネル３の省電力化を図ることができる。
【００６４】
上記第１,第２実施形態では、枠部１１に人感センサＳ１,Ｓ２を配置した表示装置１０,２０について説明したが、枠部はなく全体が表示部の画面である表示装置において、表示部の少なくとも一辺の外側方向に存在する人を検出するセンサを配置してもよい。
【００６５】
この発明の具体的な実施の形態について説明したが、この発明は上記実施の形態に限定されるものではなく、この発明の範囲内で種々変更して実施することができる。
【００６６】
この発明の表示装置は、
画面に画像を表示する矩形状の表示部２と、
上記表示部２の画面上に配置されたタッチパネル３と、
上記表示部２の少なくとも一辺の外側方向に存在する人を検出し、その人との距離を測定する対人距離測定部Ｓ１,Ｓ２,Ｓｍと、
上記対人距離測定部Ｓ１,Ｓ２,Ｓｍにより測定された上記人との距離に基づいて、上記タッチパネル３を制御するタッチパネル制御部１bと
を備え、
上記タッチパネル制御部１bは、
上記対人距離測定部Ｓ１,Ｓ２,Ｓｍにより測定された上記人との距離に応じて、上記タッチパネル３の全てを無効領域に設定するか、または、上記人と対向する上記表示部２の辺側から対辺側に向かって上記タッチパネル３の一部を有効領域として設定するか、または、上記タッチパネル３の全てを有効領域に設定するように、上記タッチパネル３を制御することを特徴とする。
【００６７】
上記構成によれば、タッチパネル制御部１bによって、対人距離測定部Ｓ１,Ｓ２,Ｓｍにより測定された表示部２の少なくとも一辺の外側方向に存在する人との距離に応じて、その人と対向する表示部２の辺側から対辺側に向かってタッチパネル３の有効領域を設定するので、例えば、人の手がタッチパネル３全体に届くときは、タッチパネル３全体を有効とし、人の手がタッチパネル３の一部領域に届くときは、手が届くタッチパネル３の一部領域すなわち人から見て手前の領域を有効とし、さらに、人の手がタッチパネル３に届かないときは、タッチパネル３全体を無効とする。このように、利用者との距離に応じて、タッチパネル３の有効領域を変化させることによって、大画面のタッチパネル機能付きの表示装置においても、効率よく省電力化できる。特に、この発明は、対人距離測定部となるセンサを４辺に有するタッチパネル機能付きの大画面表示装置を水平設置した場合に有効である。
【００６８】
また、一実施形態の表示装置では、
上記タッチパネル制御部１bは、
上記対人距離測定部Ｓ１,Ｓ２,Ｓｍにより検出された上記表示部２の各辺の外側方向に存在する複数の人が上記表示部２の複数の辺の外側方向に存在するとき、かつ、上記対人距離測定部Ｓ１,Ｓ２,Ｓｍにより検出された上記人と対向する上記表示部２の辺毎にその辺側から対辺側に向かって上記タッチパネル３の一部を有効領域として設定するとき、上記表示部２の辺毎の上記タッチパネル３の有効領域を重複可能にしている。
【００６９】
上記実施形態によれば、装置周辺に複数の利用者がいる場合は、それぞれの人の位置関係に応じてタッチパネル３の有効領域を重複可能に変化させることによって、より効率よくタッチパネル３の省電力化を図ることができる。
【００７０】
また、一実施形態の表示装置では、
上記対人距離測定部Ｓ１,Ｓ２,Ｓｍにより測定された上記表示部２の少なくとも一辺の外側方向に存在する人との距離を判定する距離判定部１aを備え、
上記タッチパネル制御部１bは、
上記対人距離測定部Ｓ１,Ｓ２,Ｓｍにより測定された上記表示部２の各辺の外側方向に存在する人との距離が予め設定された第１判定距離Ｘ以下であると上記距離判定部１aが判定したとき、上記タッチパネル３の全てを有効領域に設定すると共に、
上記対人距離測定部Ｓ１,Ｓ２,Ｓｍにより測定された上記表示部２の各辺の外側方向に存在する人との距離が、上記第１判定距離Ｘより長くかつ予め設定された第２判定距離Ｙ以下であると上記距離判定部１aが判定したとき、その人と対向する上記表示部２の辺から対辺側に向かって上記タッチパネル３の一部を有効領域として設定する。
【００７１】
上記実施形態によれば、タッチパネル制御部１bによって、対人距離測定部Ｓ１,Ｓ２,Ｓｍにより測定された表示部２の各辺の外側方向に存在する人との距離が予め設定された第１判定距離Ｘ以下であると距離判定部１aが判定したとき、タッチパネル３の全領域を有効にする。また、対人距離測定部Ｓ１,Ｓ２,Ｓｍにより測定された表示部２の各辺の外側方向に存在する人との距離が、第１判定距離Ｘより長くかつ第２判定距離Ｙ以下であると距離判定部１aが判定したとき、その人と対向する表示部２の辺から対辺側に向かってタッチパネル３の一部領域を有効にする。これにより、より最適なタッチパネル３の省電力化ができる。例えば、タッチパネル３の有効領域の幅(人と対向する表示部２の辺から対辺側への方向の幅)を人との距離に反比例するように設定することで、手が近いほどタッチパネル３の有効領域の幅が広がり、手が遠いほどタッチパネル３の有効領域の幅が狭くなるので、手が届く部分のみを有効領域にすることで、最適なタッチパネル３の省電力化ができる。
【００７２】
また、一実施形態の表示装置では、
上記タッチパネル制御部１bは、
上記対人距離測定部Ｓ１,Ｓ２,Ｓｍにより測定された上記表示部２の各辺の外側方向に存在する人との距離が、上記第２判定距離Ｙよりも長いと上記距離判定部１aが判定したとき、上記タッチパネル３の全てを無効領域に設定する。
【００７３】
上記実施形態によれば、タッチパネル制御部１bによって、対人距離測定部Ｓ１,Ｓ２,Ｓｍにより測定された表示部２の各辺の外側方向に存在する人との距離が第２判定距離Ｙよりも長いと距離判定部１aが判定したとき、タッチパネル３の全領域を無効にするので、手がタッチパネル３に届かないときは確実に省電力化できる。
【００７４】
また、一実施形態の表示装置では、
上記対人距離測定部Ｓ１,Ｓ２,Ｓｍにより測定された上記表示部２の各辺の外側方向に位置する人との距離が、予め上記第２判定距離Ｙより長く設定された第３判定距離Ｚよりも長いと上記距離判定部１aが判定したとき、上記表示部２を待機状態にする表示制御部１c備えた。
【００７５】
上記実施形態によれば、対人距離測定部Ｓ１,Ｓ２,Ｓｍにより測定された表示部２の各辺の外側方向に位置する人との距離が第３判定距離Ｚ(＞第２判定距離Ｙ)よりも長いと距離判定部１aが判定したとき、表示制御部１cにより表示部２を待機状態にすることによって、人が表示部の画面を視認できないほど離れている場合は、表示部の消費電力も低減することができる。
【符号の説明】
【００７６】
１…制御装置
１a…距離判定部
１b…タッチパネル制御部
１c…表示制御部
２…表示部
３…タッチパネル
４…フラッシュメモリ
５…ＲＡＭ
１０,２０…表示装置
１１…枠部
Ｓ１,Ｓ２,Ｓｍ…人感センサ
Ｈ１,Ｈ２,Ｈ３,Ｈ４…辺
【図１】
2014174662.tif 000003
【図２】
2014174662.tif 000004
【図３】
2014174662.tif 000005
【図４】
2014174662.tif 000006
【図５】
2014174662.tif 000007
【図６】
2014174662.tif 000008
【図７】
2014174662.tif 000009
【図８】
2014174662.tif 000010
【図９】
2014174662.tif 000011
【図１０】
2014174662.tif 000012
【図１１】
2014174662.tif 000013
【図１２】
2014174662.tif 000014
【図１３】
2014174662.tif 000015